(57)【要約】【課題】歯肉縁下の切削作業を行う際に、施術者が熟練者ではなくても、切削作業を中断すること無く歯肉縁下の削除量を正確に把握することを可能ならしめ、以って、歯肉縁下の切削作業における精度及び安全性を向上することができる様な歯科用切削バー（或いはダイヤモンドポイント）の提供。【解決手段】歯科用ハンドピース１０から回転が伝達されている際に刃部１３先端からシャンク部１２側端部側への距離（歯肉縁６下を切削している際であれば、歯肉縁６下の削除量ε）が目視出来る様に、シャンク部１２における刃部１３との境界部分近傍に、目視用の基準（１４、１４Ａ、１４Ｂ、１４Ｃ等）が形成されている。【選択図】図１
2005211094.tif 000002
【特許請求の範囲】
【請求項１】
シャンク部と刃部とから成り、シャンク部が歯科用ハンドピースの取付機構に把持されて且つ歯科用ハンドピースから回転が伝達される様に構成されており、歯科用ハンドピースから回転が伝達されている際に刃部先端からシャンク部側端部側への距離が目視出来る様に、シャンク部における刃部との境界部分近傍に、目視用の基準が形成されていることを特徴とする歯科用切削バー。
【請求項２】
前記目視用の基準がシャンク部に形成された凹部及び／又は凸部である請求項１の歯科用切削バー。
【請求項３】
前記目視用の基準としてシャンク部に形成された凹部及び／又は凸部の角部は、極率半径が小さな曲面及び／又は面取りで構成されている請求項２の歯科用切削バー。
【発明の詳細な説明】
【技術分野】
【０００１】
本発明は、歯科治療において、歯を切削する作業を行う際に使用される歯科用切削バーに関する。
【背景技術】
【０００２】
歯を削る器具として、通常、図２６に示すようなハンドピース（或いは歯科用切削器具）１０が知られている。歯科治療において、係るハンドピース１０に「ダイヤモンドポイント」と呼ばれる切削用のバー１１Ｊを差し込んで使用する。
その切削用のバー（ダイヤモンドポイント）１１Ｊは、ハンドピース１０の先端内の羽根車１８により回転させられる。ハンドピース１０の先端内の羽根車１８は、ハンドピース１０の尻部１０ｒからエア供給ライン１９によって供給される圧縮空気により、２０万ｒｐｍ〜３０万ｒｐｍの回転数で回転する。
【０００３】
前記バー（ダイヤモンドポイント）１１Ｊは、図２７に示すように、シャンク１２Ｊと刃部１３とで構成されており、その刃部１３の表面には、ダイヤモンドの砥粒１３ａがコーティングされているので、硬い歯を削ることが出来る。
【０００４】
図２８は、前記切削用バー１１Ｊをハンドピース１０に装着させて、左１番目及び２番目の前歯２１Ｆ、２１Ｇを略切削し終わろうとしている状態を示している。図中、符号６０は下顎部の歯茎を示している。
また図２９は、切削後で、当該前歯２１Ｆ、２１Ｇに被せ物を被せる直前の下顎部を前方より見た図を示しており、図中、２点鎖線は切削される前の前歯２１Ｆ、２１Ｇの輪郭を、また、符号２Ｃは夫々第１前歯２１Ｆの中心線を示している。
【０００５】
歯肉縁６下の削除量は、歯の被せ物が外部から見て（他人が見て）分からないようにするために、切削する。
被せ物３４は、図３０及び図３１に示すように、金属箔３と樹脂４とから出来ているが、被せ物３４を歯につけた場合、歯茎６０の近傍において、歯２０と金属箔３との境界（境目）が（外から見ると或いは他人が見ると）、黒く見えてしまう。このように外側から（或いは他人が）黒く見えてしまう境界（歯と金属箔との境界）５は、「ブラックライン」と呼ばれる。
歯２０と金属箔３との境界部分５を歯肉縁（歯茎上端）６から凹んだ部分、すなわち歯肉縁６下で歯を削った領域内Ｃにブラックライン５を位置させれば、外部から見ても、当該ブラックライン５は見えない。
尚、図３０において、右方が坑内側であり。坑内側の歯茎６０には歯の裏側の凹み６７が形成される。また、図中、符号２５は陶材を示す。
この様な理由に基づいて、歯２０に被せ物を行う補綴の分野では、歯肉縁６下を切削する作業が行われるのである（例えば、非特許文献１参照）。
【０００６】
ここで、歯２を削り過ぎると、歯の神経７が露出してしまう。係る事態は、防止されなければならない。また、失活歯（歯の神経が、感染等により炎症を起こしたため、神経を取ってしまった歯）の場合、（歯を削る際の精度は）被せ物（クラウン、ブリッジ）の精度に影響をあたえる。
例えば、歯軸の長さを揃えると、被せ物の精度が向上する。そのため、歯肉縁６下を削る際には、その削除量εは高い精度で制御される必要がある。
【０００７】
しかし、従来、歯科用切削バー１１Ｊを用いて歯を切削する場合、その削除量（切削量）εを把握するのは、専ら「目視」によっている。
熟練者、練達者は「目視」でも歯肉縁６下における歯の切削量εを正確に把握することが出来るが、初心者や未熟者では、目視により歯２の正確な切削量を求めることは困難である。
【０００８】
特に、歯肉縁６下の歯２を削る作業においては、歯肉縁６下を目視すること自体が難しく、したがって、高い精度にて、歯肉縁６下を削ることは、初心者や未熟者では大変な困難を伴っていた。
【０００９】
ここで、図３０及び図３１のεで示す歯肉縁６下の削除量は、例えば、１．３ｍｍに設定される。但し、歯肉縁６下の削除量はどの程度が適切であるかについては、１．３ｍｍ以外に、種々の数値が存在する。適切な歯肉縁６下の削除量の数値が複数存在するのは、施術がどの系統の学説に従って行われるのかと、患者の個人差（歯の大きさ等）で相違する。
【００１０】
歯肉縁６下の削除量εを計測するために、図３０で示すプローブ８の様な器具を使用することも考えられる。
しかし、歯２を削る作業中は、プローブ８とバー（ダイヤモンドポイント）１１Ｊ（図示を省略）とが干渉してしまう恐れがあるため、プローブ８は使用出来ない。
【００１１】
歯２を削る作業を断続的に行い、切削を中断した際にプローブ８で計測することも考えられる。
ここで、図３０の８で示す様な先端近傍に目盛り８１を目盛ったプローブ８で歯肉縁６下の切削量を計測することが可能である。
しかし、「バー１１Ｊを回転して削る」、次に「停止」、次に「プローブ８を差し込んで計測」、次に「バーを回転して削る」の工程を繰り返さなければならず、歯肉縁６下を削る作業が断続的になる。その結果、歯肉縁６下の切削箇所（切削面）が滑らかで一様な面とはならず、凹凸が形成されてしまう。切削面に係る凹凸が形成されると、予後の精度（被せ物の精度）が悪化する。
換言すれば、歯肉縁６下を削る際には、連続して削るというのが大前提となるが、プローブ８を用いると、その様な大前提が崩れてしまうのである。
【００１２】
ここで、「精度」とは、歯肉縁６下の切削作業を含める一連の治療の予後（治療した後）の経過予想の精度を意味している。
【非特許文献１】歯冠補綴学（１９７８年：クインテッセンス出版株式会社発行）  著者：保母須弥也、  Ｈｅｒｂｅｒ  Ｔ．  Ｓｈｉｌｌｉｎｇｂｕｒｇ  Ｊｒ、  Ｌｏｗｅｌｌ  Ｄ．  Ｗｈｉｔｓｅｔｔ  翻訳者：伊藤正俊、富野晃
【発明の開示】
【発明が解決しようとする課題】
【００１３】
本発明は上述した従来技術の問題点に鑑みて提案されたものであり、歯肉縁下の切削作業を行う際に、施術者が熟練者ではなくても、切削作業を中断すること無く歯肉縁下の削除量を正確に把握することを可能ならしめ、以って、歯肉縁下の切削作業における精度及び安全性を向上することができる様な歯科用切削バー（或いはダイヤモンドポイント）の提供を目的としている。
【課題を解決するための手段】
【００１４】
本発明の歯科用切削バー（１１）は、シャンク部（１２）と刃部（１３）とから成り、シャンク部（１２）が歯科用ハンドピース（１０）の取付機構に把持されて且つ歯科用ハンドピース（１０）から回転が伝達される様に構成されており、歯科用ハンドピース（１０）から回転が伝達されている際に（換言すれば、歯の切削作業中、特に歯肉縁６下の除去作業中に）刃部（１３）先端からシャンク部（１２）側端部側への距離（歯肉縁６下を切削している際であれば、歯肉縁６下の削除量ε）が目視出来る様に、シャンク部（１２）における刃部（１３）との境界部分近傍に、目視用の基準（例えば、目盛り１４、突起１４Ａ、溝１４Ｂ、凹部１４Ｃ等）が形成されていることを特徴としている（請求項１）。
【００１５】
本発明において、前記目視用の基準がシャンク部（１２）に形成された凹部（１４Ｃ）（溝１４Ｂを含む）及び／又は凸部（１４Ａ）であるのが好ましい（請求項２）。
ここで、回転時における振れ回りを防止するため、該凹部（１４Ｃ）（溝１４Ｂを含む）及び／又は凸部（１４Ａ）は、円周方向について対称に配置される（円周方向に少なくとも２点、対称な位置に配置される）のが好ましい。
【００１６】
また、バー（１１）の長手方向に形成された目視用の基準（例えば、目盛り１４）の長手方向寸法、又は長手方向の目盛りの間隔が相違していることが好ましい。
或いは、バー（１１）の長手方向に形成された目視用の基準（例えば、目盛り１４）が異なる色彩となっていることが好ましい。
【００１７】
さらに、前記目視用の基準としてシャンク部（１２）に形成された凹部（１４Ｃ）（溝１４Ｂを含む）及び／又は凸部（１４Ａ）の角部（コーナー部）（１４Ｃｋ、１４Ｂｋ、１４Ａｋ）は、極率半径が小さな曲面（アール）及び／又は面取りで構成されていることが好ましい（請求項３）。
【００１８】
本発明の歯科用切削バー（１１）を用いて歯肉縁（６）下の領域に存在する歯（２）を切削する方法では、歯科用切削バー（１１）を高速回転させつつ歯肉縁（６）下の削除するべき領域（陶材２５）に押し当てて切削する際に、切削バー（１１）のシャンク部（１２）における刃部（１３）との境界近傍に形成され且つ切削バー（１１）の回転により輪状に視認される目視用の基準（目盛り１４、点、線、凹部１４Ｃ、凸部１４Ａ等）を視認し、視認された目視用の基準と歯の先端や歯肉縁（６）との相対的な位置関係から、切削バー（１１）の刃部（１３）先端から歯肉縁（６）までの切削バー（１１）軸線方向長さを決定し、以って、切削バー（１１）による歯肉縁（６）下の切削作業を中断すること無く、歯肉縁（６）下の削除量（ε：切削バーの刃部１３先端から歯肉縁６までの切削バー１１軸線方向長さと等しい）を決定する。
【発明の効果】
【００１９】
上述した様な構成を具備する本発明によれば、目視用の基準（例えば目盛り１４）が設けられているので、バー（ダイヤモンドポイント１１）が回転して歯（２）を削っている際であっても、当該目視用の基準（例えば目盛り１４）を視認して、当該基準（１４）と歯（２）の先端部との相対的位置関係を把握することにより、歯（２）の切削量、特に歯肉縁下（６１）の削除量を把握することができる。
その結果、本発明によれば、歯肉縁下（６１）の削除量を確認しながら、連続的に切削することが可能となる。
【００２０】
本発明において、前記目視用の基準がシャンク部（１２）に形成された凹部（１４Ｃ）（溝１４Ｂを含む）及び／又は凸部（１４Ａ）であれば（請求項２）、シャンク部（１２）に塗料等を塗る必要が無く、当該塗料等の溶出を考慮する必要が無い。
ここで、該凹部（１４Ｃ）（溝１４Ｂを含む）及び／又は凸部（１４Ａ）は、円周方向について対称に配置すれば（円周方向に少なくとも２点、対称な位置に配置すれば）、歯科用切削バー（１１）を高速回転する際（歯２の切削時）において、当該切削バー（１１）の円周方向における質量の不均一に起因する振れ回りを防止することが出来る。
【００２１】
また、バー（１１）の長手方向に形成された目視用の基準（例えば、目盛り１４）の長手方向寸法（１５）が相違している様に構成するか、或いは、バー（１１）の長手方向に形成された目視用の基準（例えば、目盛り１４）が異なる色彩である様に構成すれば、施術者からは見ることが出来ない歯肉縁（６）下の領域（Ｃ）に、切削バー（１１）はどの程度侵入しているのか（換言すれば、幾つの目盛り１４が歯肉縁６下に存在するか）を把握することが出来る。
【００２２】
さらに、前記目視用の基準としてシャンク部（１２）に形成された凹部（１４Ｃ）（溝１４Ｂを含む）及び／又は凸部（１４Ａ）の角部（コーナー部）（１４Ｃｋ、１４Ｂｋ、１４Ａｋ）を、極率半径が小さな曲面（アール）Ｒ及び／又は面取りで構成すれば（請求項３）、当該凹部（１４Ｃ）（溝１４Ｂを含む）及び／又は凸部（１４Ａ）により、歯或いは口内の不必要な箇所を切削してしまう恐れが抑制される。
【発明を実施するための最良の形態】
【００２３】
以下、添付図面を参照して、本発明の実施形態を説明する。
【００２４】
先ず、図１〜図８を参照して、第一実施形態を説明する。
図１において、歯を削る器具として、ハンドピース１０が用いられる。歯の治療時には、そのハンドピース１０に「ダイヤモンドポイント」と呼ばれる切削用のバー１１を差し込んで使用する。
【００２５】
その切削用のバー１１は、ハンドピース１０内の羽根車１８により回転させられる。ハンドピース１０内の羽根車１８は、ハンドピース１０の尻部１０ｒからエア供給ライン１９によって供給される圧縮空気により、２０万ｒｐｍ〜３０万ｒｐｍの回転数で回転する。
【００２６】
前記切削用のバー１１は、図２に詳細を示すように、前記ハンドピース１０に差し込まれる側であるシャンク部１２と、歯の切削用の刃部１３とで構成されている。
ここで、バー１１のシャンク部１２の長さは、０．２ｍｍ〜２０．０ｍｍである。シャンク部１２の長さが長過ぎると正確な切削が困難となってしまう可能性があり、短過ぎるとハンドピース１０が口腔或いは歯と干渉してしまうからである。
また、ダイヤモンドの刃部１３の直径としては、０．２ｍｍ〜４．０ｍｍである。直径が太過ぎるとブリッジ等で要求される精度にて歯を切削することが困難であり、直径が細過ぎると切削バー１１の強度に問題が生じてしまう可能性があることによる。
【００２７】
その刃部１３の表面には、硬い歯を削るために、ダイヤモンドの砥粒１３ａがコーティングされている。
【００２８】
切削用バー１１における刃部（ダイヤモンド砥粒をコーティングした部分）１３の形状は、図３及び図４に示す様な、円柱形状１３Ａ及び円錐台形状１３が一般的である。
しかし、図５に示す様な、先端側が拡径されたテーパ形状１３Ｂでは、歯槽骨に近い側が大きく削れてしまうので、クラウン、ブリッジ等の被せ物を、歯に隙間無く被せることが出来なくなってしまう。
【００２９】
再び図２を参照して、シャンク部１２の刃部１３との境界近傍には、図示の例では、色彩の異なるの縞状の目盛り１４が等間隔に形成されている。
目盛りの線をシャンク１２上に形成させる方法としては、塗料、焼結、その他の従来の手法で良い。
ここで、染料或いは塗料を使用するのであれば、
（１）目盛りとして、視認性が良好であること、
（２）消毒薬に対して、耐性があること（安定していること）
（３）口内で使用した際に、溶出しないこと、仮に溶出しても、人体に無害であること
（４）滅菌操作の際に加熱するため、耐熱性があること、
という条件を満たすことが必要である。
例えば、アクリル系塗料が好ましい。
【００３０】
焼結、焼付け、その他の付着技術を使用する場合も概略同様であり、
（１）目盛りに付着させた材料の視認性が良いこと
（２）消毒薬に対して、耐性があること（安定していること）
（３）当該材料が、シャンク１２から分離してしまう恐れが無いこと
（４）消毒薬に対して耐性があること（安定していること）、
（５）仮に剥離して口内から人体に吸収されても、悪影響が無いこと、
等の条件を満たすことが必要である。
【００３１】
図示はされていないが、目盛りを構成するのは、「円周方向へ連続する線」でなくとも良い。例えば、「断続的な線（点線、鎖線等）」や「点」でも良い。
【００３２】
図６において、削るべき歯２の外側（矢印Ｆ方向）を向いた正面部分２２は、歯肉縁６下（図３０参照）の削除量εを比較的大きくするが、その両側部分２３は歯肉縁６下の削除量εを比較的小さくする必要がある。
すなわち、両側部分２３の歯肉縁６下の削除量を大きくしてしまうと、予後、特に老後に歯間の隙間（ブラックトライアングル）２４が発生してしまう。
係るブラックトライアングル２４は食物が挟まり易く、また、雑菌が繁殖してしまう。
【００３３】
ここで、図６の両側部分２３やブラックトライアングル２４における歯肉縁６下の削除量は、陶材２５の厚さ（図３０参照）を確保出来る程度でなければならない。
初心者、未熟者は、削るべき歯２の両側部分２３（図６参照）を削り過ぎてしまう傾向がある。その結果、ブラックトライアングル２４が出来てしまう可能性が高い。
【００３４】
第１実施形態を用いれば、歯肉縁６と目盛り１４との相対位置を目視して、図３２で示す様に切削するべき歯の先端とを目視により比較すれば、初心者や未熟な施術者であっても、歯肉縁６下の切削量（図６の領域２２、２３の切削量）或いは削除量が、正確に把握できるので、領域２３を削り過ぎてしまうことが防止される。
その結果、予後、特に老後に、歯間の隙間（ブラックトライアングル）２４の発生が抑制され、雑菌が繁殖してしまう空間を発生する恐れも少なくなる。
【００３５】
歯茎６０は奥側（口内側）の方が盛り上がっている（図３０参照）。また、歯２の中心２Ｃに対しても左右対称ではない（図２９参照）。したがって、左右非対称な歯２に合わせて、歯肉縁６下の削除量を調整しないと、ブラックライン５やブラックトライアングル２４が予後に形成されてしまう。
【００３６】
第１実施形態を用いれば、切削するべき歯の先端部や歯肉縁６と、目盛り１４との相対位置から、その時点における歯肉縁６下の削除量が直ちに把握できる（図３２参照）。そのため、初心者や未熟者でも、歯肉縁６下を切削している作業の際でも、削除量をリアルタイムにて正確且に判断できる。したがって、左右非対称な歯に合わせて、歯肉縁６下の削除量を適宜調整することも可能となり、予後におけるブラックライン５やブラックトライアングル２４の形成が防止される。
【００３７】
歯肉縁６下は歯科技師には見えない。見えない箇所の切削量を左右で揃えて削ることは困難である。
図７において、（図６の両側部２３）における歯肉縁６下の削除量「ε」が相違すると、歯茎６０の下側の骨（歯槽骨突起）６５の降下量（歯ぐきの下がる量）が変わってしまう。
すなわち、2本の歯に被せ物をした場合、（図６の両側部２３）における歯肉縁６下の削除量「ε」が左右で相違すると、予後に、歯茎が右寄り或いは左寄りになってしまう。
【００３８】
第１実施形態であれば、目盛り１４を視認することにより、切削するべき歯と目盛り１４との相対位置関係から、歯肉縁６下の削除量「ε」を把握しながら、切削できるので、（図６の両側部２３における）歯肉縁６下の削除量「ε」を左右均一に切削することが可能となり、予後に、歯茎６０が右寄り或いは左寄りになってしまう事態が防止される。
【００３９】
図８を参照して、歯肉縁６下の削り方の違いを説明する。
同じように歯肉縁６下を削った2本の歯２２０、２３０であっても、加齢によって歯茎６０（歯肉縁６）が下がる（６Ｘの状態）ことにより、一方の歯２３０にはブラックライン５が出ないが、他方の歯２２０にはブラックライン５が出てしまう、という事態が起こり得る。
【００４０】
歯茎６０の下がり方は図示しない歯槽骨の形により、異なる。熟練者であれば、歯槽骨の形に合わせて、歯茎６０の下がり具合を調整して、ブラックライン５が出てしまうことを防止することも可能である。
しかし、未熟者や初心者に対して、従来は、その様な処理、すなわち、歯槽骨の形に合わせて、歯茎６０の下がり具合を調整して、高精度にて歯肉縁６下を切削することを望むのは、不可能であった。
【００４１】
第１実施形態を用いれば、目盛り１４と切削するべき歯との相対的な位置関係により（図３２参照）歯肉縁６下の削除量εが把握できる。
したがって、未熟者や初心者であっても、歯槽骨の形が把握できていれば、それに合わせて、歯茎６０の下がり具合を調整して、高精度にて歯肉縁６下を切削することが可能となる。
【００４２】
歯槽骨の形に合わせないで歯肉縁６下を削ると、「歯肉ポケット」６６が形成されて、歯周菌の繁殖の要因となる。（図８参照）
第１実施形態によれば、図３２で示す様に歯と目盛り１４との相対位置を目視することにより、歯肉縁６下の削除量εを把握しながら切削できるので、歯槽骨の形を施術前にレントゲン写真その他から把握して、それに対応する歯肉縁６下の削除量を予め決定することにより、歯槽骨の形に合わせて歯肉縁６下を削ることが出来る。
その結果、予後に「歯肉ポケット」６５が形成されてしまうことが無く、歯周菌の繁殖が予防される。
【００４３】
なお、図示しないストッパを使って、歯肉縁６下の削除量ε（図７参照）を一定値以下にすることも考えられるが、ストッパを使用した場合には、上述した様に、歯槽骨（歯槽骨突起６５）の形状に合わせて削ることが出来ない。
【００４４】
ここで、歯の裏側（口内側）は外から（他人から）見えない。ブラックラインが５生じても構わないので、歯肉縁６下を掘り下げる（削り込む）必要が無い。
歯２と金属箔３との境界を、歯肉縁６下の凹み６７に入れる必要が無い（図３０参照）。
したがって、歯の裏側（口内側）は本発明の適用外である。
【００４５】
次に、図９〜図１７を参照して第２実施形態を説明する。
図１〜図８の第１実施形態は、シャンク部１２に目視用の基準として、線で目盛りを構成した実施形態である。しかし、目視用の基準は、溝、突起、凹部で形成しても良い。
【００４６】
図９及び図１３の実施例は、小さな半球状の突起１４Ａを目視用の基準としてシャンク部１２の表面に形成した実施例を示す。
また、図１０〜図１２は、シャンク部１２に目視用の基準として、凹部１４Ｃ（シャンク１２の長手方向（各図における紙面の表裏方向）に所定の長さを有する溝も含む）を形成した実施例である。
【００４７】
シャンク１２に突起１４Ａを設けることは、技術的に困難なので、突起１４Ａよりも凹部（窪み）１４Ｃが好ましい。
なお、図示はされていないが、突起と凹部の双方を形成することも可能である。
【００４８】
図９及び図１０で示す様に、シャンク部１２の凸部１４Ａ、凹部１４Ｃが１点だけ、或いは円周方向に非対称な位置では、２００００ｒｐｍ〜３００００ｒｐｍという高速回転をすると、切削用バー１１が振られてしまう（ぶれてしまう）。回転時にバー１１が「ぶれて」しまうと、精度ある削除が困難となる。
そのため、点、線、突起１４Ａ、凹部１４Ｃのような全周に亙って連続していない基準の場合、図１１〜図１３で示す様に、円周方向に少なくとも２点、点対称な位置に設けるのが好ましい。
【００４９】
図１５に示す様な点状の凹部１４Ｃ、図１６に示す様な開口部が矩形状の凹部１４１Ｃ、或いは図１７に示す様な円周方向へ断続的に延在する凹部１４２Ｃを目盛りにした場合には、目盛りを形成したシャンク１２が「回転鑢」として作用してしまい、削る必要が無い部分を削ってしまう可能性がある。
そのため、図１４で示す様な、円周方向全域に亘って形成される溝１４Ｂが好ましい。
【００５０】
その他の構成、作用効果は、第１実施形態と同様であり、以降の説明は省略する。
【００５１】
次に、図１８を参照して、第３実施形態を説明する。
目盛りに数字（例えば、刃部の末端部からの距離寸法）を記入しても、バーが高速回転をしている際に読み取ることは不可能である。
そのため、線、凹部、或いは突起等が有効となる。しかし、幾つの目盛りが歯肉縁下に存在するかは、切削作業中には把握が困難である。
【００５２】
これに対して、図１８の第３実施形態では、長手方向（図示の上下方向）で分離した複数の目盛り（例えば溝１４Ｂ、１４１Ｂ）のバー１１の長手方向の長さを変えることで、目盛り（溝１４Ｂ、１４１Ｂ）と歯肉縁下の切削量εとを関連付けている。
すなわち、１つ目の目盛り１４Ｂ及び３つ目の目盛り１４Ｂに比較して、２つ目の目盛り１４１Ｂの幅が広く形成してある。
２つ目の目盛り１４１Ｂが視認出来るか否かで、歯肉縁下の切削量εが目盛り（１４Ｂ、１４１Ｂ）から分かる。
ここで、目盛りは溝（図示）或いは凹部であっても、突起（図示せず）であっても良い。
【００５３】
図示はされていないが、突起と凹部の双方を形成することも可能である。その他の構成、作用効果は、第１実施形態及び第２実施形態と同様であり、以降の説明を省略する。
【００５４】
次に、図１９を参照して第４実施形態を説明する。
図１９の第４実施形態では、目盛り（図示の例では溝１４２Ｂ、１４３Ｂ、１４４Ｂ）の色を変えて、目盛り（溝１４２Ｂ、１４３Ｂ、１４４Ｂ）の色から歯肉縁下の切削量εが把握出来るように構成している。尚、図１９の例では、３箇所の溝の色は夫々異なるものとして示したが、１段目１４２Ｂと３段目１４４Ｂとは同じ色を用いても良い。
ここで、図１９では、溝であるが、線であっても、突起であっても良い。また、図１９では、バー１１の長手方向について、目盛りとなる溝の長さが等しいが、これを変えても良い。換言すれば、第３実施形態と組み合わせても良い。
【００５５】
図示はされていないが、突起と凹部の双方を形成することも可能である。
その他の構成、作用効果は、第３実施形態と同様であり、以降の説明を省略する。
【００５６】
次に、図２０〜図２４を参照して第５実施形態を説明する。
第２実施形態の図１５の小さな半球状の凹部１４Ｃ、図１６の矩形形状の凹部１４１Ｃ及び図１７の円周方向へ断続的に延在する凹部１４２Ｃを目盛りにした場合には、目盛りを形成したシャンク１２が「回転やすり」として作用してしまい、削る必要が無い部分を削ってしまう可能性がある。
また、図１４で示す様に、円周方向全域に亘って溝１４Ｂを形成しても、肩部１４Ｂｋで切削してしまう恐れがある。
【００５７】
これに対して、図２０〜図２３の様に、溝１４Ｂ、或いは凹部１４Ｃの角部（コーナー部）１４Ｂｋ、１４Ｃｋにアール部分Ｒ、Ｒ１を形成して、不必要な部分を切削してしまうことを防止するように構成されている。
尚、図２１の例のように、溝１４Ｂのコーナー部１４Ｂｃには、切削工程において生じる応力集中でバー１２が折損しないように、アール部ｒが形成されるのが好ましい。
【００５８】
図２０、図２１、図２３のＲ、Ｒ１はバー１２の長手方向に形成されたアール部であり、図２２および図２３のＲ２はバー１２の円周方向に形成されたアール部である。
図２４は、突起１４Ａで構成された目盛りの突起のコーナー１４ＡｋにアールＲ３を施した実施例である。
尚、図２０〜図２４の実施例ではアールＲ、Ｒ１〜Ｒ３の形成のみを表示しているが、面取りしても良い。
【００５９】
図示はされていないが、突起と凹部の双方を形成することも可能であり、その場合には、突起及び凹部の双方にアール或いは面取りを施せば良い。
【００６０】
その他の構成、作用効果は、第２実施形態と同様であり、以降の説明は省略する。
【００６１】
刃部１３の長さは下式で表現出来る。
平均的な歯の長さ（歯冠）−（金属箔の厚さ＋陶材の厚さ）±α（定数）
具体的には、刃部１３の長さは、４．０ｍｍ〜２０．０ｍｍである。刃部１３の長さが長過ぎると刃部先端で正確な切削を行うことが困難となってしまう可能性があり、短過ぎると切削するべき箇所まで刃部１３が届かずに、シャンク部１２やハンドピース１０が口腔或いは歯と干渉してしまうからである。
【００６２】
また、刃部１３及びシャンク１２のハンドピース１０から露出している部分の長さについても、同様に決定される。すなわち、刃部１３で正確な切削な切削が行える程度の長さであり、且つ、シャンク部１２やハンドピース１０が口腔或いは歯と干渉すること無く、刃部１３が切削するべき箇所まで到達できる様に、設定されているのである。
【００６３】
次に、図２５を参照して第６実施形態を説明する。
図２５において、ハンドピース１０側には、例えば先端に拡大鏡１０１を取り付けた支持部材１０２がアタッチメント１０３によって、その拡大鏡１０１の鏡面角度を２次元で調節可能なように取り付けられている。
そのように構成することにより、細い切削用バー１１に形成された細かな目盛りも、拡大鏡１０１を通して見ることにより、目盛りは拡大されるために、歯科技師は疲労することなく切削作業が進められる。
【００６４】
図示の実施形態はあくまでも例示であり、本発明の技術的範囲を限定する趣旨の記述ではない旨を付記する。
【産業上の利用可能性】
【００６５】
本発明の歯科用切削バー１１は、「歯」以外の部位に切削するのにも使用可能である。例えば、整形外科の分野でも使用の可能がある。
【図面の簡単な説明】
【００６６】
【図１】本発明の第１実施形態の切削用バーと、そのバーを回転駆動させるハンドピースを示した組立て図。
【図２】本発明の第１実施形態の切削用バーの正面図。
【図３】切削用バーの刃部の形状の一例を示す断面図。
【図４】切削用バーの刃部の形状の他の例を示す断面図。
【図５】切削用バーの刃部の形状の別の例を示す断面図。
【図６】切削された歯を正面上方から見た立体図。
【図７】切削された歯において、歯肉縁下の切削量の違いによる影響を示す部分断面図。
【図８】歯肉縁下の削り方の違いを説明する立体図。
【図９】本発明の第２実施形態における目視用基準の一例である１箇所に形成された突起を示すバーの断面図。
【図１０】本発明の第２実施形態における目視用基準の一例である、１箇所に形成された凹部を示すバーの断面図。
【図１１】本発明の第２実施形態における目視用基準の他の例である、２箇所に形成された凹部を示すバーの断面図。
【図１２】本発明の第２実施形態における目視用基準のその他の例である、３箇所に形成された凹部を示すバーの断面図。
【図１３】本発明の第２実施形態における目視用基準の他の例である、３箇所に形成された突起を示すバーの断面図。
【図１４】本発明の第２実施形態における目視用基準の一例である、溝部を示すバーの正面図。
【図１５】本発明の第２実施形態における目視用基準の一例である、部分的に形成された凹部を示すバーの正面図。
【図１６】本発明の第２実施形態における目視用基準の一例である、部分的に形成された矩形の凹部を示すバーの正面図。
【図１７】本発明の第２実施形態における目視用基準の一例である、複数の矩形の凹部を設けたバーの正面図。
【図１８】本発明の第３実施形態における目視用基準の例であり、形状の異なる凹部を３段に設けたバーの側面図。
【図１９】本発明の第４実施形態における目視用基準の例であり、同一形状の凹部を３段に設けたバーの側面図。
【図２０】本発明の第５実施形態における目視用基準の一例である、角部にアール処理を施された溝部を有するバーの正面図。
【図２１】本発明の第５実施形態における目視用基準の他の例である、角部にアール処理を施された溝部を有するバーの正面図。
【図２２】本発明の第５実施形態における目視用基準の一例である、周方向の端部にアール処理を施された溝部を有するバーの正面図。
【図２３】本発明の第５実施形態における目視用基準の一例である、角部にアール処理を、更に周方向の端部にアール処理を施された溝部を複数箇所有するバーの正面図。
【図２４】本発明の第５実施形態における目視用基準の一例である、角部にアール処理を施された凸部を有するバーの部分断面図。
【図２５】本発明の第６実施形態の歯科用切削バーとハンドピースに拡大鏡を取り付けた歯科治療用の装置を立体的に示した図。
【図２６】従来技術における切削用バーと、そのバーを回転駆動させるハンドピースを示した組立て図。
【図２７】従来技術における切削用バーの正面図。
【図２８】前歯を切削している最中の状態を示す立体図。
【図２９】前歯の切削が完了した状態を正面から見た状態図。
【図３０】前歯の切削が完了した状態に切削前の前歯の輪郭を重ねて示した状態図。
【図３１】前歯の切削量とブラックラインの位置関係を説明する正面図。
【図３２】本発明により前歯を切削している状態を示す立体図。
【符号の説明】
【００６７】
２・・・歯（切削前の歯全体を示す）
３・・・金属箔
４・・・樹脂
５・・・ブラックライン
６・・・歯肉縁
７・・・神経
１０・・・ハンドピース
１１・・・切削用のバー／ダイヤモンドポイント
１２・・・シャンク部
１３・・・刃部
１４・・・目盛り
１４Ａ・・・凸部
１４Ｂ・・・溝部
１４Ｃ・・・凹部
１８・・・羽根車  
２０・・・歯（切削後の歯）
３４・・・被せ物
【図１】
2005211094.tif 000003
【図２】
2005211094.tif 000004
【図３】
2005211094.tif 000005
【図４】
2005211094.tif 000006
【図５】
2005211094.tif 000007
【図６】
2005211094.tif 000008
【図７】
2005211094.tif 000009
【図８】
2005211094.tif 000010
【図９】
2005211094.tif 000011
【図１０】
2005211094.tif 000012
【図１１】
2005211094.tif 000013
【図１２】
2005211094.tif 000014
【図１３】
2005211094.tif 000015
【図１４】
2005211094.tif 000016
【図１５】
2005211094.tif 000017
【図１６】
2005211094.tif 000018
【図１７】
2005211094.tif 000019
【図１８】
2005211094.tif 000020
【図１９】
2005211094.tif 000021
【図２０】
2005211094.tif 000022
【図２１】
2005211094.tif 000023
【図２２】
2005211094.tif 000024
【図２３】
2005211094.tif 000025
【図２４】
2005211094.tif 000026
【図２５】
2005211094.tif 000027
【図２６】
2005211094.tif 000028
【図２７】
2005211094.tif 000029
【図２８】
2005211094.tif 000030
【図２９】
2005211094.tif 000031
【図３０】
2005211094.tif 000032
【図３１】
2005211094.tif 000033
【図３２】
2005211094.tif 000034